(57)【特許請求の範囲】
【請求項１】
箱状に形成した箱状樋の底壁と縦壁との入隅部における前記縦壁に排水用取付孔を開設し、該排水用取付孔に取付けて前記箱状樋に溜まった雨水を排水するための横引き排水ドレン装置を用いてなる横引き排水ドレン構造であって、
前記横引き排水ドレン装置は、前記縦壁の内側に設置されるドレン本体部と、前記縦壁の外側に設置される支持板と、これらドレン本体部及び支持板を連結可能な固定ネジと、より構成され、
前記ドレン本体部は、縦断面略Ｌ状に形成され、前記縦壁内面に添接される縦片には、排水孔を開設し、この排水孔の周縁から外方に向けて、前記排水用取付孔を貫通する筒状の排水管差込筒部を突設すると共に、この排水管差込筒部の先端には、外周面にネジ山を形成したネジ部を突設してなり、
前記支持板は、前記ドレン本体部と略同形の縦断面略Ｌ状に形成され、前記縦壁外面に添接される縦片部には、前記排水管差込筒部を挿通する挿通孔を開設し、この挿通孔の周縁から外方に向けて、前記排水用取付孔を挿通する環状の鍔部を突設してなり、
前記固定ネジは、筒状に形成され、内周面には、前記排水管差込筒部のネジ山に螺着可能なネジ溝を形成してなり、
前記支持板の縦片部の下端から延設された支持片部の上面には、該支持片部の端部から前記縦片部に形成した下降溝部を形成しており、
前記ドレン本体部の排水管差込筒部を、前記縦壁に開設された排水用取付孔の内方から外方に向けて貫通させ、この貫通された排水管差込筒部に、前記支持板の挿通孔を挿通すると共に、前記支持板を底壁と縦壁の外面に添接し、更に、前記排水管差込筒部の先端から固定ネジを外挿して螺着することで、前記縦壁を介して、前記ドレン本体部の縦片と、前記支持板の縦片部とを挟着すると共に、前記底壁を介して、前記ドレン本体部の延設片と、前記支持板の支持片部を挟着して、前記ドレン本体部と前記支持板とを前記固定ネジで連結固定したうえで、前記支持板の鍔部に排水パイプを外嵌させて連結する構造とし、
前記ドレン本体部の延設片と、前記箱状樋の底壁との隙間を通じて前記支持片部の上面に漏出し、前記下降溝部に貯留した漏水を、前記排水パイプを通じて排水するようにしたことを特徴とする横引き排水ドレン構造。
【発明の詳細な説明】
【技術分野】
【０００１】
本発明は、箱状に形成した箱状樋の底壁と縦壁との入隅部における前記縦壁に排水用取付孔を開設し、該排水用取付孔に取付けて前記箱状樋に溜まった雨水を排水するための横引き排水ドレン構造に関する。
【背景技術】
【０００２】
マンションの共通廊下やベランダ等（以下、「ベランダ等」と略する。）に発生する水は、一般に底壁の隅部に開設された排水口を通じて排水されるが、最近では、上方が開放された箱状樋を前記ベランダ等に設置し、前記箱状樋の底壁と縦壁との入隅部における前記縦壁に排水用取付孔を開設し、該排水用取付孔に取付けて前記箱状樋に溜まった雨水を排水するための横引き排水ドレン装置が知られている（例えば、特許文献１参照。）。
【０００３】
図４は、このような従来の横引き排水ドレン装置２００を示す分解斜視図であり、図５（ａ）、（ｂ）及び図６（ｃ）、（ｄ）は、図４で示した横引き排水ドレン装置及びこれを用いてなる横引き排水ドレン構造を示す縦断面図である。
【０００４】
すなわち、前記ベランダ等に、上方が開放された箱状に形成した箱状樋１００を設置して、この箱状樋１００の底壁１０１と縦壁１０２との入隅部１１０における縦壁１０２側に排水用取付孔１０３を開設し、この開設された排水用取付孔１０３に横引き排水ドレン装置２００を取付けて、前記ベランダ等に生じた水を排水するのである。
【０００５】
具体的には、横引き排水ドレン装置２００は、箱状樋１００の縦壁１０２内側に設置されるドレン本体部２０１と、箱状樋１００の縦壁１０２を介して該縦壁１０２の外側に設置される支持板２０２と、ドレン本体部２０１及び支持板２０２を挟着する固定ネジ２０３とで構成している。
【０００６】
そして、支持板２０２に開設した取付孔２１２を、排水用取付孔１０３の外側に重合すると共に、支持板２０２を底壁１０１及び縦壁１０２の外面に添接し、この重合した排水用取付孔１０３及び取付孔２１２に向けて、ドレン本体部２０１の外方に向けて突設した排水管差込筒部２１１を、縦壁１０２の内側から貫通する〔図５（ａ）参照。〕。
【０００７】
更に、この貫通された排水管差込筒部２１１に、固定ネジ２０３を排水管差込筒部２１１の先端から嵌挿して螺着すれば、図中矢印で示すように、支持板２０２が縦壁１０２の外側から圧着すると共に、排水管差込筒部２１１が外側に引っ張られて、ドレン本体部２０１が縦壁１０２の内側から圧着する〔図５（ｂ）、図６（ｃ）参照。〕。
【０００８】
このように、固定ネジ２０３を螺着すれば、ドレン本体部２０１及び支持板２０２が縦壁１０２を挟着した状態で取付けられ、横引き排水ドレン装置２００を箱状樋１００の排水用取付孔１０３に取付けできる〔図６（ｃ）参照。〕。
【０００９】
最後に、この取付けた横引き排水ドレン装置２００の固定ネジ２０３の後部に、排水パイプ３００等を内嵌して連結し、前記ベランダ等に生じた水Ｗを排水パイプ３００を通じて排水するのである〔図６（ｄ）参照。〕。
【特許文献１】特開２０００−３５２１５７（図３）
【発明の開示】
【発明が解決しようとする課題】
【００１０】
しかしながら、この横引き排水ドレン装置２００には、以下の問題があった。
【００１１】
すなわち、前述のようにして箱状樋１００の排水用取付孔１０３に横引き排水ドレン装置２００を取付けた場合、ドレン本体部２０１及び支持板２０２は、縦壁１０２を挟着する方向に圧着して取付けられているが、底壁１０１を挟着する方向である鉛直方向には圧着できなかった。
【００１２】
そのため、図６（ｄ）の拡大図に示すように、箱状樋１００の底壁１０１と、ドレン本体部２０１との接合部分、具体的には、ドレン本体部２０１が底壁１０１に接合する延設片２２１と、底壁１０１との圧着力が弱くなってしまい、この接合部分付近に溜まった水ｗが、僅かな隙間ｔを通じて、又は、毛細管現象によって、図中矢印に示すように、延設片２１１の端部、或いは、支持板２０２と固定ネジ２０３との間を通じて箱状樋１００の外部に漏れ出してしまうという危険があった。
【００１３】
本発明は、かかる課題を解決することを目的とするもので、箱状樋の外部に水が漏れ出すことを確実に防止できる横引き排水ドレン構造を提供する。
【課題を解決するための手段】
【００１４】
前記目的を達成するため、
請求項１に係る横引き排水ドレン構造は、箱状に形成した箱状樋の底壁と縦壁との入隅部における前記縦壁に排水用取付孔を開設し、該排水用取付孔に取付けて前記箱状樋に溜まった雨水を排水するための横引き排水ドレン装置を用いてなる横引き排水ドレン構造であって、前記横引き排水ドレン装置は、前記縦壁の内側に設置されるドレン本体部と、前記縦壁の外側に設置される支持板と、これらドレン本体部及び支持板を連結可能な固定ネジと、より構成され、前記ドレン本体部は、縦断面略Ｌ状に形成され、前記縦壁内面に添接される縦片には、排水孔を開設し、この排水孔の周縁から外方に向けて、前記排水用取付孔を貫通する筒状の排水管差込筒部を突設すると共に、この排水管差込筒部の先端には、外周面にネジ山を形成したネジ部を突設してなり、前記支持板は、前記ドレン本体部と略同形の縦断面略Ｌ状に形成され、前記縦壁外面に添接される縦片部には、前記排水管差込筒部を挿通する挿通孔を開設し、この挿通孔の周縁から外方に向けて、前記排水用取付孔を挿通する環状の鍔部を突設してなり、前記固定ネジは、筒状に形成され、内周面には、前記排水管差込筒部のネジ山に螺着可能なネジ溝を形成してなり、前記支持板の縦片部の下端から延設された支持片部の上面には、該支持片部の端部から前記縦片部に形成した下降溝部を形成しており、前記ドレン本体部の排水管差込筒部を、前記縦壁に開設された排水用取付孔の内方から外方に向けて貫通させ、この貫通された排水管差込筒部に、前記支持板の挿通孔を挿通すると共に、前記支持板を底壁と縦壁の外面に添接し、更に、前記排水管差込筒部の先端から固定ネジを外挿して螺着することで、前記縦壁を介して、前記ドレン本体部の縦片と、前記支持板の縦片部とを挟着すると共に、前記底壁を介して、前記ドレン本体部の延設片と、前記支持板の支持片部を挟着して、前記ドレン本体部と前記支持板とを前記固定ネジで連結固定したうえで、前記支持板の鍔部に排水パイプを外嵌させて連結する構造とし、前記ドレン本体部の延設片と、前記箱状樋の底壁との隙間を通じて前記支持片部の上面に漏出し、前記下降溝部に貯留した漏水を、前記排水パイプを通じて排水するようにしたことを特徴とする。
【００１５】
（削除）
【発明の効果】
【００１６】
請求項１に係る横引き排水ドレン構造によれば、横引き排水ドレン装置の支持板の縦片部の下端から延設された支持片部の上面には、該支持片部の端部から前記縦片部に形成した下降溝部を形成すると共に、前記支持板の鍔部に排水パイプを外嵌させて連結している。
【００１７】
そのため、万一、ドレン本体部と底壁との僅かな隙間を通じて、前記支持片部の上面に水が漏水しても、前記支持片部の上面に形成した下降溝部によって前記水を阻止して、前記支持片部の端部から箱状樋の外部に水が漏れ出すことを防止できる。
【００１８】
又、前記支持板の鍔部には、排水パイプを外嵌させて連結しているため、前記下降溝部に貯留した漏水は、鍔部と固定ネジとの間を通じて前記排水パイプ内に確実に集水することができ、箱状樋の外部に水が漏れ出すことを確実に防止できる。
【００１９】
さらに、この横引き排水ドレン構造によれば、ベランダ等に生じた水を排水パイプを通じて確実に排水することができる。
【発明を実施するための最良の形態】
【００２０】
以下、本発明に係る横引き排水ドレン構造および横引き排水ドレン装置Ａを図面とともに説明する。
【実施例１】
【００２１】
図１は、同横引き排水ドレン装置Ａの一実施例を示した分解斜視図であり、図２（ａ）、（ｂ）及び図３（ｃ）、（ｄ）は、図１で示した横引き排水ドレン装置Ａを用いてなる横引き排水ドレン構造を示す縦断面図である。
【００２２】
本実施例の横引き排水ドレン装置Ａは、ベランダ等に設置される上方が開放された箱状に形成した箱状樋Ｔの底壁Ｔ１と縦壁Ｔ２との入隅部Ｔ３における縦壁Ｔ２側に排水用取付孔Ｈを開設し、該排水用取付孔Ｈに取付けて前記箱状樋Ｔに溜まった雨水を排水するものであって、縦壁Ｔ２の内側に設置されるドレン本体部１と、縦壁Ｔ２の外側に設置される支持板２と、これらドレン本体部１及び支持板２を連結可能な固定ネジ３と、より構成してなる。
【００２３】
ドレン本体部１は、縦断面略Ｌ状に形成され、縦壁Ｔ２内面に添接される縦片１１には、排水孔１２を開設し、この排水孔１２の周縁から外方に向けて、排水用取付孔Ｈに貫通する筒状の排水管差込筒部１３を突設すると共に、この排水管差込筒部１３の先端には、外周面にネジ山を形成したネジ部１３ａを突設してなる。
【００２４】
又、ドレン本体部１の縦片１１の下端には、底壁Ｔ１に接合する延設片１４を延設してなる。
【００２５】
なお、排水孔１２の上方には、格子状のゴミ除け部１２ａを形成して前記雨水以外の紙、木の葉等を堰き止めて、箱状樋Ｔに溜まった雨水だけをスムーズに排水するようにしている。
【００２６】
支持板２は、ドレン本体部１と略同形の縦断面略Ｌ状に形成され、縦壁Ｔ２外面に添接される縦片部２１には、排水管差込筒部１３を挿通する挿通孔２１ａを開設し、この挿通孔２１ａの周縁から外方に向けて、排水管差込筒部１３を挿通する環状の鍔部２２を突設してなる。
【００２７】
固定ネジ３は、筒状に形成され、内周面には、ネジ部１３ａのネジ山に螺着可能なネジ溝３１を形成してなる。
【００２８】
本発明は、このように構成した支持板２の縦片部２１の下端から延設された支持片部２３の上面に、該支持片部２３の端部から縦片部２１に形成した下降溝部２４を形成すると共に、固定ネジ３及び支持板２の鍔部２２に排水パイプ５を外嵌させて連結したことに特徴がある。
【００２９】
本実施例の下降溝部２４は、支持片部２３の外周縁を残して下方に凹ませて形成したものを例示しているが、この形状に限定されるものではなく、支持片部２３の上面に漏れ出した水Ｗを、挿通孔２１ａを通じてスムーズに排水可能な形状又は構造であれば採用できる。
【００３０】
以下、上記横引き排水ドレン装置Ａを用いてなる横引き排水ドレン構造について説明する。
【００３１】
先ず、支持板２に開設した挿通孔２１ａを、排水用取付孔Ｈの外側に重合すると共に、支持板２を底壁Ｔ１及び縦壁Ｔ２の外面に添接し、この重合した排水用取付孔Ｈ及び挿通孔２１ａに向けて、ドレン本体部１の外方に向けて突設した排水管差込筒部１３を、縦壁Ｔ１の内側から貫通する〔図２（ａ）参照。〕。
【００３２】
次に、この貫通された排水管差込筒部１３に、固定ネジ３を排水管差込筒部１３の先端に形成したネジ部１３ａから嵌挿して螺着すれば、図中矢印で示すように、固定ネジ３が、支持板２の鍔部２２先端に当接し、更に、固定ネジ３を螺着すれば、鍔部２２全体、すなわち、支持板２全体を内方に向けて押圧すると共に、排水管差込筒部１３が外側に引っ張られて、ドレン本体部１が縦壁Ｔ２の内側から圧着する〔図２（ｂ）、図３（ｃ）参照。〕。
【００３３】
そして、この取付けた横引き排水ドレン装置Ａの支持板２の鍔部２２に、排水パイプ５等を外嵌して連結し、前記ベランダ等に生じた水Ｗを排水パイプ５を通じて排水するのである〔図３（ｄ）参照。〕。
【００３４】
このように上記横引き排水ドレン装置Ａ及びこれを用いてなる横引き排水ドレン構造によれば、万一、ドレン本体部１の延設片１４と、箱状樋Ｔの底壁Ｔ１との僅かな隙間ｔを通じて、支持片部２３の上面に水Ｗが漏水しても、支持片部２３の上面に形成した下降溝部２４によって水Ｗを阻止し、支持片部２３の端部から箱状樋Ｔの外部に水が漏れ出すことを防止できる。
【００３５】
又、固定ネジ３及び支持板２の鍔部２２には、排水パイプ５を外嵌させて連結しているため、下降溝部２４に貯留した漏水Ｗは、鍔部２２と固定ネジ３との間を通じて排水パイプ５内に確実に集水することができ、箱状樋Ｔの外部に水Ｗが漏れ出すことを確実に防止できるのである。
【００３６】
なお、下降溝部２４の基端側（固定ネジ３側）に、基端に向けて傾斜する排水溝（不図示）を形成すれば、下降溝部２４に貯留した漏水Ｗを、鍔部２２と固定ネジ３との間を通じてスムーズに排水でき、排水パイプ５内に確実に集水することができる。
【図面の簡単な説明】
【００３７】
【図１】本発明に係る横引き排水ドレン構造において用いられる横引き排水ドレン装置Ａの一実施例を示した分解斜視図である。
【図２】（ａ）、（ｂ）は、図１で示した横引き排水ドレン装置Ａを用いてなる横引き排水ドレン構造を示す縦断面図である。
【図３】（ｃ）、（ｄ）は、図１で示した横引き排水ドレン装置Ａを用いてなる横引き排水ドレン構造を示す縦断面図である。
【図４】従来の横引き排水ドレン装置２００を示す分解斜視図である。
【図５】（ａ）、（ｂ）は、図４で示した横引き排水ドレン装置２００を用いてなる横引き排水ドレン構造を示す縦断面図である。
【図６】（ｃ）、（ｄ）は、図４で示した横引き排水ドレン装置２００を用いてなる横引き排水ドレン構造を示す縦断面図である。
【符号の説明】
【００３８】
Ｔ    箱状樋
Ｔ１  底壁
Ｔ２  縦壁
Ｔ３  入隅部
Ｈ    排水用取付孔
Ａ    横引き排水ドレン装置
１    ドレン本体部
１１  縦片
１２  排水孔
１３  排水管差込筒部
１３ａ  ネジ部
１４  延設片
２    支持板
２１  縦片部
２１ａ  挿通孔
２２  鍔部
２３  支持片部
２４  下降溝部
３    固定ネジ
３１  ネジ溝
５    排水パイプ
ｔ    隙間
Ｗ    水、漏水
【図１】
0005514405.tif 000002
【図２】
0005514405.tif 000003
【図３】
0005514405.tif 000004
【図４】
0005514405.tif 000005
【図５】
0005514405.tif 000006
【図６】
0005514405.tif 000007